(57)【特許請求の範囲】
【請求項１】
家具枠体（１０１）に固定される枠体レール（２３）と、
前記枠体レール（２３）に対して移動可能に取り付けられる引出しレール（２１）と、
異なる機能を実行するよう構成される少なくとも２つの異なる機能装置（３、４、５）と、
前記少なくとも２つの異なる機能装置（３、４、５）を前記枠体レール（２３）および／または前記引出しレール（２１）に取り付ける取付装置（１）と、
を備え、
前記取付装置（１）は、
取付位置で、前記少なくとも２つの異なる機能装置（３、４、５）の各々を選択的に、解放可能に、かつ交換可能に支持するための前記引出しレール（２１）上の第一連結要素（７）と、
前記少なくとも２つの異なる機能装置（３、４、５）に断続的に係合および連結するための前記枠体レール（２３）上の第二連結要素（６）と、
を含んでいる、
引出し延出ガイド（２）。
【請求項２】
前記少なくとも２つの異なる機能装置（３、４、５）は、工具を使用せずに、前記取付位置で、前記引出しレール（２１）に前記第一連結要素（７）によって選択的に、解放可能に、かつ交換可能に固定されるよう構成されている、
請求項１に記載の引出し延出ガイド。
【請求項３】
前記第一連結要素（７）はラッチ装置を有している、
請求項１に記載の引出し延出ガイド。
【請求項４】
前記少なくとも２つの異なる機能装置（３、４、５）は、前記取付装置（１）によって、前記引出しレール（２１）に固定されるよう構成されている、
請求項１に記載の引出し延出ガイド。
【請求項５】
前記第二連結要素（６）はフック形状である、
請求項１に記載の引出し延出ガイド。
【請求項６】
前記取付装置（１）は、前記枠体レール（２３）および前記引出しレール（２１）と独立し、かつ、前記枠体レール（２３）および前記引出しレール（２１）と非一体型の別個の構造装置である、
請求項１に記載の引出し延出ガイド。
【請求項７】
前記取付装置（１）は前記枠体レール（２３）の下側に少なくとも部分的に配置され、および／または、前記枠体レール（２３）の、前記家具枠体（１０１）から離れた側の側部に少なくとも部分的に配置される、
請求項１に記載の引出し延出ガイド。
【請求項８】
前記少なくとも２つの異なる機能装置（３、４、５）は、前記取付装置（１）によって、前記引出レール（２１）の側部に、かつ、前記家具枠体（１０１）から離れた位置で前記引出しレール（２１）に略平行に取り付けられる、
請求項１に記載の引出し延出ガイド。
【請求項９】
前記少なくとも２つの異なる機能装置（３、４、５）は、閉端位置から開位置まで、前記引出しレール（２１）を押し出す押出し装置を含んでいる、
請求項１に記載の引出し延出ガイド。
【請求項１０】
前記少なくとも２つの異なる機能装置（３、４、５）は、前記引出しレール（２１）を閉端に向けて、かつ、完全閉位置に引き込む引き込み装置、および／または、前記引出しレール（２１）の移動を緩衝する緩衝装置を含んでいる、
請求項１に記載の引出し延出ガイド。
【請求項１１】
前記少なくとも２つの異なる機能装置（３、４、５）は、前記第一連結要素（７）によって、前記引出しレール（２１）に同時に固定される、
請求項１に記載の引出し延出ガイド。
【請求項１２】
前記少なくとも２つの異なる機能装置（３、４、５）の各々は、第三連結要素（６’）を有し、
前記少なくとも２つの異なる機能装置（３、４、５）の少なくとも一つは、バネ荷重された第三連結要素（６’）を有している、
請求項１に記載の引出し延出ガイド。
【請求項１３】
前記少なくとも２つの異なる機能装置（３、４、５）の少なくとも一つの前記第三連結要素（６’）は、前記引出しレール（２１）および前記枠体レール（２３）の相対移動時に、前記第二連結要素（６）に断続的に連結および／または当接するよう構成されている、
請求項１２に記載の引出し延出ガイド。
【請求項１４】
前記少なくとも２つの異なる機能装置（３、４、５）は、前記引出しレール（２１）と共に移動するよう、前記取付装置（１）によって、前記引出しレール（２１）に選択的に、解放可能に、かつ交換可能に固定されるよう構成されており、
前記少なくとも２つの異なる機能装置（３、４、５）の少なくとも一つの前記第三連結要素（６’）は、前記引出しレール（２１）と共に移動するよう構成されており、
前記第二連結要素（６）は、前記少なくとも２つの異なる機能装置（３、４、５）に対して不動である、
請求項１２に記載の引出し延出ガイド。
【請求項１５】
家具枠体（１０１）と、
請求項１に記載の引出し延出ガイド（２）と、
を備え、
前記引出し延出ガイド（２）の前記枠体レール（２３）は前記家具枠体（１０１）に取り付けられている、
家具。
【発明の詳細な説明】
【技術分野】
【０００１】
本発明は、請求項１のプレアンブルの特徴を含んだ引出し延出ガイドおよびそのような引出し延出ガイドを有した家具に関する。また本発明は、少なくとも２つの機能装置を含んだ組合物にも関する。
【背景技術】
【０００２】
このようなタイプの引出し延出ガイドは従来より数多く知られている。
【先行技術文献】
【特許文献】
【０００３】
【特許文献１】（特になし）
【発明の概要】
【発明が解決しようとする課題】
【０００４】
本発明の目的は、引出し延出ガイドを提供することである。
【課題を解決するための手段】
【０００５】
本発明によれば、この目的は請求項１の特徴によって達成される。
【０００６】
本発明によれば、この取付装置は、少なくとも２種の異なる機能装置を引出し延出ガイドに選択的に固定させる少なくとも１つの連結要素を有する。
【０００７】
従って、２種の異なる機能装置を１つの取付装置によって適正に取り付けることが可能である。よって、機能装置を固定するための異なる取付装置は不要であり、１つの取付装置で事足りる。従って、本発明は製造コストを下げると共に、機能装置の交換が必要になったとき、取付装置の交換は不要であり、現行の取付装置が新しい機能装置の取り付けに利用できる。
【０００８】
本発明のさらなる利点は従属請求項において定義されている。
【０００９】
機能装置が連結要素に、好適には工具を使用せずに、解放可能に固定できると特に有利である。機能装置が解放可能に固定できると、機能装置は固定および取り外しが可能であり、簡単に交換できる。この点に関して、固定および取り外しが工具を使用せずに実行できると、組み立ての作業時間が短縮されるため、特に有利である。
【００１０】
１好適実施形態では、連結要素はラッチ（掛留）装置を有する。ラッチ装置は、機能装置を引出し延出ガイドに固定するのに必要な追加の組み立て作業を不要とする。
【００１１】
好適には、少なくとも１つの連結要素が枠体レールに提供され、少なくとも１つの別な連結要素が引出しレールに提供される。引出しレールの別な連結要素によって、そこに設置された機能装置が引出しレールと共に移動でき、枠体レールの連結要素は、例えば、機能装置のための制御装置、例えば機能装置のためのオン／オフスイッチとして、内側に移動する家具部のための減衰部材として、あるいは、家具駆動装置の形態の機能装置をそこから押し出す迫部材（ａｂｕｔｍｅｎｔ  ｍｅｍｂｅｒ）として機能することができる。
【００１２】
機能装置が、引出し延出ガイドの引出しレールに取付装置によって固定できるなら有利である。これで機能装置は、引出しが引き出されたり押し込まれるとき、引出し延出ガイドの引出しレールと共に移動できる。
【００１３】
連結要素がフック形状（鉤形状）であると特に有利である。フック形状は、取付装置の連結要素によって機能装置を引出し延出ガイドに迅速に取り付けさせる。
【００１４】
取付装置が、引出し延出ガイドとは独立した構造装置の形態であると特に好適である。取付装置を独立構造装置の形態にすることで、以後の引出し延出ガイドまたは機能装置への取付装置の装着が可能になり、以後の取付装置の引出し延出ガイドまたは機能装置への装着が可能になる。よって、既存の引出し延出ガイドシステムとの関係において、以後の装着が実施可能となる。この場合には、引出し延出ガイドは交換が不要である。
【００１５】
この点に関して、取付装置が、少なくとも部分的に引出しレールの下側、及び／又は少なくとも部分的に、家具の枠体から離れている引出しレールの側部に提供されることが特に有利である。取付装置を引出しレールの下側、及び／又は枠体から離れた引出しレールの側部に設置すると、引出しの下方に存在する自由空間が取付装置のために利用できる。
【００１６】
１好適実施形態においては、機能装置は、取付装置によって、横方向で、引出しレールに略平行に、家具枠体から離れた引出し延出ガイドの側部に設置できる。このような設計形態は、引出しの下方の自由空間を取付装置のために利用することを可能にする。
【００１７】
機能装置が、閉端位置から開位置に引出し延出ガイドのレールを押し出すための押出し装置を有することは有利である。
【００１８】
機能装置が、引出し延出ガイドのレールを完全閉位置に至る閉移動の終点に向かって引き込ませる引込み装置を有し、及び／又は機能装置が引出し延出ガイドのレール移動を緩衝させる緩衝装置を有することは有利である。
【００１９】
好適には、機能装置は取付装置の連結要素にて保持される。この保持効果は迅速な組み立ての実行に貢献する。
【００２０】
機能装置の連結要素が可動に設計され、好適にはバネ荷重されていることが望ましい。
【００２１】
レール同士の相対移動で、機能装置の連結要素が、時折、レールの連結要素に連結され、及び／又は時折、レールの連結要素に当接することが有利である。
【００２２】
特に、機能装置が取付装置によって解放可能に引出し延出ガイドの引出しレールに固定され、引出しレールと共に移動し、機能装置の連結要素も引出しレールと共に移動し、機能装置の連結要素に対応する連結要素は機能装置に対して移動しないことは特に有利である。
【００２３】
関係する変形例では、機能装置が取付装置によって引出し延出ガイドの枠体レールに解放可能に固定され、機能装置の連結要素に対応する連結要素が引出しレールと共に移動する。
【００２４】
少なくとも２つの機能装置が取付装置に同時に固定でき、及び／又は、少なくとも２つの機能装置が取付装置に選択的に固定できることが特に有利である。
【００２５】
本発明は、家具枠体に固定される枠体レールと、枠体レールに対して移動可能に支持されている少なくとも１つの引出しレールとを含む引出し延出ガイドも提供する。ここで、少なくとも１つの機能装置は取付装置よって枠体レールまたは引出しレールに接続される。
【００２６】
本発明は、取付装置を備え、少なくとも１つの引出し延出ガイドを有した家具も提供する。
【００２７】
本発明は、第１の機能装置と、少なくとも１つの第２の機能装置とを含んだ組合物（ｓｅｔ）も提供する。ここでは機能装置は、機能装置をレールに取り付けるための取付装置の連結要素によって、選択的に引出し延出ガイドに接続可能である。
【００２８】
本発明のさらなる詳細と利点は、添付図面に図示されている実施例に関する説明によって以下でさらに詳細に解説されている。
【図面の簡単な説明】
【００２９】
【図１ａ】図１ａは、機能装置を取り付けるための取付装置によって引出し延出ガイドのレールに取り付けられる複数の機能装置の概略図である。
【図１ｂ】図１ｂは、押出し装置の形態の機能装置の概略図である。
【図１ｃ】図１ｃは、減衰装置の形態の機能装置の概略図である。
【図１ｄ】図１ｄは、引込み装置の形態の機能装置の概略図である。
【図２】図２は、引出し延出ガイドおよび引出し延出ガイドに取り付けられる３つの機能装置の斜視図である。
【図３】図３は、連結要素を備えた引出し延出ガイドの斜視図である。
【図４ａ】図４ａは、引出し延出ガイドの下方斜視図である。
【図４ｂ】図４ｂは、図４ａの引出し延出ガイドの詳細図である。
【図５ａ】図５ａは、機能装置の斜視図である。
【図５ｂ】図５ｂは、図５ａの機能装置の下方斜視図である。
【図６】図６は、固定されている機能装置を備えた引出し延出ガイドの斜視図である。
【図７ａ】図７ａは、取り付けられた機能装置を備えた引出し延出ガイドの下方斜視図である。
【図７ｂ】図７ｂは、図７ａの引出し延出ガイドの詳細図である。
【図８ａ】図８ａは、同期装置を備えた機能装置の斜視図である。
【図８ｂ】図８ｂは、図８ａの機能装置の下方斜視図である。
【図９】図９は、同期装置を備え、機能装置が取り付けられた引出し延出ガイドの斜視図である。
【図１０ａ】図１０ａは、同期装置を備え、機能装置が取り付けられた引出し延出ガイドの下方斜視図である。
【図１０ｂ】図１０ｂは、図１０ａの引出し延出ガイドの詳細図である。
【図１１】図１１は、延ばされた状態にある引出し延出ガイドの斜視図である。
【図１２ａ】図１２ａは、引出し延出ガイドの下方斜視図である。
【図１２ｂ】図１２ｂは、図１２ａの引出し延出ガイドの詳細図である。
【図１３】図１３は、２つの引出し延出ガイドを備えた家具の斜視図である。
【発明を実施するための形態】
【００３０】
図１ａは引出し延出ガイド２の概略図であり、引出し延出ガイド２は２本のレール２１と２３を有している。レール２３は枠体レールであり、レール２１は引出しレールである。引出しレール２１には、機能装置３、４および５を取り付けるための取付装置１の連結要素７が配置されている。
【００３１】
機能装置３、４および５は、機能装置３、４および５を引出しレール２１の連結要素７に選択的に固定することができる連結要素８も有する。これで、１つの引出し延出ガイド２によって、引出し延出ガイド２に異なる機能装置３、４および５を具備させることができる。
【００３２】
枠体レール２３は、連結要素６’によって機能装置３、４および５を枠体レール２３の連結要素６と対応させる連結要素６も有する。
【００３３】
この好適実施例においては、引出し延出ガイド２は、引出しレール２１に連結要素７を有しており、それによって、機能装置３、４および５が引出しレール２１と共に移動でき、その枠体レール２３で引出し延出ガイド２が連結要素６を有している。連結要素６は、機能装置３、４および５並びに引出しレール２１のそれぞれとは共に移動しない。
【００３４】
図１ｂは、押出し装置の形態の有機構装置３の概略図である。この機能装置３は連結要素８によって引出し延出ガイド２（このでは図示せず）に解放可能に固定できる。
【００３５】
この場合、連結要素６’は連結要素６に対応し、機能装置３は引出し延出ガイド２の引出しレール２１（ここでは図示せず）に取付装置１によって解放可能に固定できる。機能装置３の連結要素６’は引出しレール２１と共に移動し、機能装置３の連結要素６’に対応する連結要素６は機能装置３に対して移動しない。
【００３６】
もし機能装置３が連結要素６の方向に移動されると、連結要素６は、機能装置３のカーディオイド曲線形状のガイド内でラッチ点にまで、すなわち、カーディオイド曲線形状の没部の形状である連結要素６’にまで移動される。この状況では、機能装置３と、それと共に機能装置３の連結要素６’は、バネ装置３０によって予備圧縮されている。
【００３７】
もし機能装置３に再び圧力が加えられると、連結要素６は機能装置３のカーディオイド曲線の没部から外れ、機能装置３と、引出しレール２１（ここでは図示せず）とは共に押し出される。
【００３８】
その逆に、取付装置１が、引出し延出ガイド２の枠体レール２３（ここでは図示せず）に解放可能に接続され、機能装置３の連結要素６’に対応する連結要素６が引出しレール２１と共に移動することもできる。
【００３９】
この原理は、緩衝装置の形態である図１ｃで示す機能装置４、および、引込み装置としての図１ｄで示す機能装置５にも適用される。
【００４０】
図１ｃは、この実施例においては緩衝装置の形態である機能装置４を図示する。ここでは、機能装置４が引出し延出ガイド２（ここでは図示せず）に取り付けられている引出し（ここでは図示せず）が家具枠体に押し込まれるなら、時折、連結要素６に当接する連結要素６’を機能装置４は有している。機能装置４の連結要素６’が機能装置４の連結要素６に遭遇すると、機能装置４が連結要素８によって接続されている引出しレール２１も制動される。図１ｄは引込み装置の形態の機能装置５を図示する。
【００４１】
機能装置５の可動であるバネ荷重された連結要素６’が連結要素６に遭遇すると、機能装置５と、そこに接続されている引出しレールとはバネ装置３０により引き込まれる。
【００４２】
従って、図１ｂ、図１ｃおよび図１ｄで示される３つの機能装置３、４および５の全ての場合に、レール２１、２２および２３（ここでは図示せず）の相対移動によって、機能装置３、４および５の連結要素６’は、時折、連結要素６と、レール２１、２２および２３に連結され、及び／又は時折、レール２１、２２または２３の連結要素６に当接する。
【００４３】
連結要素６が家具枠体（ここでは図示せず）に提供され、レール２１、２２および２３の１つに提供されないことも可能である。
【００４４】
図２は、引出し延出ガイド２と、そこに取り付けられる３つの機能装置３、４および５の斜視図である。これら異なる機能装置３、４および５は取付装置１の連結要素７によって引出し延出ガイド２の引出しレール２１に選択的に固定できる。さらに、この好適実施例では、機能装置３と５は同時に引出し延出ガイド２の引出しレール２１に取り付け可能である。
【００４５】
この場合には、機能装置３、４および５は、好適には工具を使用せずに連結要素７に固定できる。
【００４６】
さらに、この好適実施例では、引出し延出ガイド２は枠体レール２３に取付装置１の連結要素６を有する。機能装置３、４および５は連結要素６に同様に固定される。しかし、この実施例においては、その固定は一時的なものである。言い換えると、引出しレールが延び出たとしても、機能装置は連結要素６と接触しない。この場合、枠体レール２３の連結要素６は、中央レール２２と引出しレール２１の下側で延び出て、機能装置３、４および５のガイド溝に係合できるように形状化されている。
【００４７】
それは、好適には、例えば、機能装置３が連結要素６から排出され、引出し（図示せず）が家具（図示せず）から押し出されるように利用される。
【００４８】
一方、連結要素６は、機能装置の１つの緩衝装置（図示せず）に、連結要素６において引出しの緩衝効果を提供させるように使用できる。同様に、連結要素６は機能装置の自動的引き込み機能のためにも使用できる。さらに、連結要素６で制御できる多数の他の機能も想定可能である。
【００４９】
この構成においては、連結要素６はフック形状であり、機能装置３、４および５は取付装置１の連結要素６において支持できる。
【００５０】
この好適実施例では、機能装置３、４および５は組合物２００に属しており、機能装置３、４および５は、機能装置３、４および５の１つを取り付けるために取付装置１によって引出し延出ガイド２のレール２１に選択的に固定できる。
【００５１】
機能装置３、４および５は引出しレール２１にではなく、中央レール２２または枠体レール２３に取付装置１によって固定することもできる。
【００５２】
この好適実施例では、取付装置１は、少なくとも部分的に引出しレール２１の下方に提供され、また、部分的に、家具１００（図示せず）の枠体１０１（図示せず）から離れた引出しレール２１の側部に提供される。
【００５３】
従って、機能装置３、４および５を、取付装置１によって、家具枠体１０１から離れている引出し延出ガイド２の側部で引出しレール２１と略平行で横方向に配置することができる。
【００５４】
特に好適な実施例では、取付装置１は引出し延出ガイド２から独立した構造装置の形態である。これで、例えば、取付装置１を、既存の引出し延出ガイド２に後付け装置として利用することもできる。
【００５５】
非常に幅広い範囲の異なる利用法が、機能装置３、４および５の機能として可能である。例えば、閉端位置から開位置に引出し延出ガイド２のレールの１つを押し出す押出し装置を有した機能装置、あるいは、例えば、引出し延出ガイドのレールを閉移動の終点時に完全に閉じた位置にまで引き込ませる引込み装置を有した有機能機装置、及び／又は引出し延出ガイド２のレール移動を減衰する緩衝装置を有する機能装置として可能である。この実施例では、機能装置４および５の場合と同様に、同期装置４１を備えた機能装置も可能である。
【００５６】
図３は、引出しレール２１、中央レール２２および枠体レール２３を備えた引出し延出ガイド２の斜視図である。枠体レール２３には、機能装置３、４および５（ここでは図示せず）を受領するための取付装置１のフック形状の連結要素６が提供されている。
【００５７】
図４ａは、図３で示される引出し延出ガイド２の下方斜視図である。図４ａと、図４ａの詳細図である図４ｂの両方は、機能装置３、４および５（ここでは図示せず）を受領して配置させる別の連結要素７を図示する。
【００５８】
図５ａは機能装置４の斜視図である。図５ｂは図５ａの機能装置４の下方斜視図である。この点に関して、引出し延出ガイド２（図示せず）の連結要素６（図示せず）に対応する連結要素６’も図示されている。
【００５９】
連結要素７（図４ａ参照）に対応する別の連結要素８も図示されている。
【００６０】
図６は、引出し延出ガイド２（図４に図示）と、その上に配置された機能装置４（図５に図示）の斜視図である。
【００６１】
図７ａと図７ｂは、引出し延出ガイド２と、その上に配置された機能装置４の下方斜視図である。機能装置４は、機能装置を引出し延出ガイド２のレールに取り付けるための取付装置１の連結要素６と６’によって引出し延出ガイド２の枠体レール２３に解放可能に固定される。
【００６２】
図８は別な機能装置４’の斜視図である。この実施例では、機能装置４’は、引出し延出ガイドを別な引出し延出ガイドと同期させるために同期装置４１を有する。図８ｂで示すように、その下側では、この機能装置４’は連結要素６’と、機能装置４’を引出し延出ガイド２のレール（図示せず）に固定させる取付装置１の連結要素８も有する。
【００６３】
図９は、取付装置１（ここでは図示せず）と、その連結要素６、６’、７および８によって、引出し延出ガイド２、厳密にはその引出しレール２１およびその枠体レール２３に接続されている、図８ａと図８ｂに図示した機能装置４’の斜視図である。
【００６４】
図１０ａと図１０ｂは、引出し延出ガイド２と、その上に配置された機能装置４’の図９で示す構成の下方斜視図である。
【００６５】
図１０ｂの詳細図は、互いに対応する２つの連結要素６と６’を図示する。
【００６６】
図１１は、延び出た引出し延出ガイド２の斜視図である。この場合、機能装置３は取付装置１によって引出しレール２１に（ここでは図示しない連結要素７と８によって）固定されている。
【００６７】
枠体レール２３は、引出しレール２１が進入すると機能装置３との接続状態となる連結要素６を有する。この場合、機能装置３は自身をそこから後退させ、家具から引出し（ここでは図示せず）を排出させるために連結要素６を使用する。引出しが押し込まれると、連結要素６は機能装置３の緩衝装置の一部として利用される。連結要素６はフック形状であり、引出しレール２１の下方を通って機能装置３の溝内に進入し、それに対応する。
【００６８】
この好適実施例では、取付装置１は、引出しレール２１と共に移動する連結要素７と８を有し、さらに、引出しレール２１と共には移動しないが、枠体レール２３に固定式に配置されている連結要素６を有する。
【００６９】
図１２ａには、連結要素６が引出しレール２１（図２１ｂの詳細図参照）の下方で枠体レール２３から連結要素６が延び出る様子を図示する。
【００７０】
図１３は、家具枠体１０１を備えた家具１００を図示する。２つの引出し延出ガイド２は家具枠体１０１に配置されており、引出し延出ガイド２はそれぞれ引出しレール２１および枠体レール２３を有する。
【００７１】
この場合には、機能装置３、４および５（ここでは図示せず）を引出し延出ガイド２の引出しレール２１に取り付けるための取付装置１（図示せず）が、引出し延出ガイド２にそれぞれ提供される。
【図１ａ】
0005860893.tif 000002
【図１ｂ】
0005860893.tif 000003
【図１ｃ】
0005860893.tif 000004
【図１ｄ】
0005860893.tif 000005
【図２】
0005860893.tif 000006
【図３】
0005860893.tif 000007
【図４ａ】
0005860893.tif 000008
【図４ｂ】
0005860893.tif 000009
【図５ａ】
0005860893.tif 000010
【図５ｂ】
0005860893.tif 000011
【図６】
0005860893.tif 000012
【図７ａ】
0005860893.tif 000013
【図７ｂ】
0005860893.tif 000014
【図８ａ】
0005860893.tif 000015
【図８ｂ】
0005860893.tif 000016
【図９】
0005860893.tif 000017
【図１０ａ】
0005860893.tif 000018
【図１０ｂ】
0005860893.tif 000019
【図１１】
0005860893.tif 000020
【図１２ａ】
0005860893.tif 000021
【図１２ｂ】
0005860893.tif 000022
【図１３】
0005860893.tif 000023